(57)【要約】      （修正有）【課題】Ｃアーム本体を一体的に被覆可能としてドレーピングを効率的に行うことができるとともに、手術時の準備が容易でドレーピング後の清潔を確実なものとすることができるＣアーム用のサージカルドレープを提供する。【解決手段】患部にＸ線を照射するＸ線照射部と、照射したＸ線を検出するＸ線検出部とを、アーチ型のアーム部によって結合したＣアームを被覆するＣアーム用のサージカルドレープにおいて、再利用可能な布にて形成するとともにＣアームを一体的に被覆可能とするドレープ本体１の表面に、Ｃアームの断面方向に紐体８又は紐状の弾性体を設ける。【選択図】図１
0003191672.tif 000002
【実用新案登録請求の範囲】
【請求項１】
患部にＸ線を照射するＸ線照射部と、照射したＸ線を検出するＸ線検出部とを、アーチ型のアーム部によって結合したＣアームを被覆するＣアーム用のサージカルドレープにおいて、再利用可能な布にて形成するとともにＣアームを一体的に被覆可能とするドレープ本体の表面に、Ｃアームの断面方向に沿って巻き付け可能な紐体を設けたことを特徴とするＣアーム用のサージカルドレープ。
【請求項２】
患部にＸ線を照射するＸ線照射部と、照射したＸ線を検出するＸ線検出部とを、アーチ型のアーム部によって結合したＣアームを被覆するＣアーム用のサージカルドレープにおいて、再利用可能な布にて形成するとともにＣアームを一体的に被覆可能とするドレープ本体の表面に、Ｃアームの長さ方向に沿ってドレープ本体にギャザーを形成可能な紐体又は紐状の弾性体を設けたことを特徴とするＣアーム用のサージカルドレープ。
【請求項３】
患部にＸ線を照射するＸ線照射部と、照射したＸ線を検出するＸ線検出部とを、アーチ型のアーム部によって結合したＣアームを被覆するＣアーム用のサージカルドレープにおいて、再利用可能な布にて形成するとともにＣアームを一体的に被覆可能とするドレープ本体の表面に、Ｃアームの断面方向に沿って巻き付け可能な紐体又は紐状の弾性体を設けるとともに、Ｃアームの長さ方向に沿ってドレープ本体にギャザーを形成可能な紐体又は紐状の弾性体を設けたことを特徴とするＣアーム用のサージカルドレープ。
【請求項４】
紐体又は紐状の弾性体は、ドレープ本体の複数箇所に設けたことを特徴とする請求項１〜３のＣアーム用のサージカルドレープ。
【請求項５】
ドレープ本体は、アーム部を被覆するアーム被覆部をアーム部の形状に対応させて形成したことを特徴とする請求項１〜３のＣアーム用のサージカルドレープ。
【請求項６】
ドレープ本体はアーム部の外周位置に、Ｃアームの長さ方向に沿って配置される細長の開口部を設けたことを特徴とする請求項１〜３のＣアーム用のサージカルドレープ。
【請求項７】
紐体又は紐状の弾性体は、ドレープ本体に縫い付けた紐通しに挿通したことを特徴とする請求項１〜３のＣアーム用のサージカルドレープ。
【考案の詳細な説明】
【技術分野】
【０００１】
本考案は、手術の際にＣアームに被覆するサージカルドレープに関するものである。
【背景技術】
【０００２】
本考案のＣアームとは、ＴＶモニター一体型Ｘ線透視診断装置のことを意味するものであって、外科・泌尿器・腹部などの手術時に透視画像を得ることができるものである。そしてこのＣアームは、患部にＸ線を照射するＸ線照射部と、照射したＸ線を検出するＸ線検出部とを、アーチ型のアーム部によって結合したＣアーム本体を備えたものである。
【０００３】
上記の如くＣアームは手術時に使用するものであるから、表面の清潔を確保する必要がある。そこで、特許文献１に示す如く、Ｃアーム用のサージカルドレープが従来より使用されている。
【先行技術文献】
【特許文献】
【０００４】
【特許文献１】特開２０００−２９６１２３号公報
【考案の開示】
【考案が解決しようとする課題】
【０００５】
しかしながら、上記特許文献１に示す如き従来のＣアーム用のサージカルドレープは、Ｘ線照射部、Ｘ線検出部、アーム部の各部位毎に個別に被覆するよう形成したものであるから、ドレーピングに手間がかかるとともに手術時に各部位のサージカルドレープを用意する必要があるため準備が煩雑なものとなる。更に、各部位の間にドレープが被覆されていない露出部分が生じ、清潔を確実なものとすることが困難となるおそれがある。
【０００６】
そこで、本考案は上述の如き課題を解決しようとするものであって、Ｃアーム本体を一体的に被覆可能としてドレーピングを効率的に行うことができるとともに、手術時の準備が容易でドレーピング後の清潔を確実なものとすることができるＣアーム用のサージカルドレープを得ようとするものである。
【課題を解決するための手段】
【０００７】
本願の第１考案は上述の如き課題を解決するため、患部にＸ線を照射するＸ線照射部と、照射したＸ線を検出するＸ線検出部とを、アーチ型のアーム部によって結合したＣアームを被覆するＣアーム用のサージカルドレープにおいて、再利用可能な布にて形成するとともにＣアームを一体的に被覆可能とするドレープ本体の表面に、アーム部の断面方向に紐体又は紐状の弾性体を設けたものである。
【０００８】
また本願の第２考案は、患部にＸ線を照射するＸ線照射部と、照射したＸ線を検出するＸ線検出部とを、アーチ型のアーム部によって結合したＣアームを被覆するＣアーム用のサージカルドレープにおいて、再利用可能な布にて形成するとともにＣアームを一体的に被覆可能とするドレープ本体の表面に、Ｃアームの長さ方向に沿ってドレープ本体にギャザーを形成可能な紐体又は紐状の弾性体を設けたものである。
【０００９】
また本願の第３項案は、患部にＸ線を照射するＸ線照射部と、照射したＸ線を検出するＸ線検出部とを、アーチ型のアーム部によって結合したＣアームを被覆するＣアーム用のサージカルドレープにおいて、再利用可能な布にて形成するとともにＣアームを一体的に被覆可能とするドレープ本体の表面に、Ｃアームの断面方向に沿って巻き付け可能な紐体又は紐状の弾性体を設けるとともに、Ｃアームの長さ方向に沿ってドレープ本体にギャザーを形成可能な紐体又は紐状の弾性体を設けたものである。
【００１０】
また、紐体又は紐状の弾性体は、ドレープ本体の複数箇所に設けたものであっても良い
【００１１】
また、ドレープ本体は、アーム部を被覆するアーム被覆部をアーム部の形状に対応させて形成したものであっても良い。
【００１２】
また、ドレープ本体はアーム部の外周位置に、Ｃアームの長さ方向に沿って配置される細長の開口部を設けたものであっても良い。
【００１３】
また、紐体又は紐状の弾性体は、ドレープ本体に縫い付けた紐通しに挿通したものであっても良い。
【考案の効果】
【００１４】
本願の第１〜３考案は上述の如く、ドレープ本体を、Ｃアーム本体に一体的に被覆可能としたものであるから、ドレーピングを効率的に行うことができるとともに、手術時の準備が容易でドレーピング後の清潔を確実なものとすることができる。
【図面の簡単な説明】
【００１５】
【図１】本考案の実施例１を示す側面図。
【図２】Ｃアーム本体に装着した状態を示す斜視図。
【図３】Ｃアーム本体に装着した状態を示す部分背面図。
【図４】Ｃアーム本体に装着した状態を示す部分拡大斜視図。
【図５】本考案の実施例２を示す側面図。
【図６】開口部の裏面外周側を示す部分拡大平面図。
【図７】開口部外周にギャザーを寄せた状態を示す側面図。
【図８】Ｃアーム本体に装着した状態を示す部分背面図。
【実施例１】
【００１６】
本考案の実施例１を以下に説明すると、図１に示す如く(1)はＣアームを被覆可能とするドレープ本体であって、再利用可能な布にて形成したものである。ここでＣアームについて簡単に説明すると、ＣアームはＴＶモニター一体型Ｘ線透視診断装置のことを意味するものであって、患部にＸ線を照射するＸ線照射部と、照射したＸ線を検出するＸ線検出部と、このＸ線検出部とＸ線照射部とを連結するアーチ型のアーム部(2)とから成るＣアーム本体(3)を備えたものであって、外科・泌尿器・腹部などの手術時に透視画像を得ることができるものである。
【００１７】
そして、ドレープ本体(1)は図１、２に示す如く上記Ｃアーム本体(3)を被覆可能とした袋状に形成したものであって、一端側を、Ｘ線照射部を被覆する照射被覆部(4)、他端側を、Ｘ線検出部を被覆する検出被覆部(5)とし、この照射被覆部(4)と検出被覆部(5)との間を、アーム部(2)を被覆するアーム被覆部(6)としている。
【００１８】
そして図１に示す如く、上記照射被覆部(4)と検出被覆部(5)とを各々の形状に対応させて幅広に形成するとともにアーム被覆部(6)をアーム部(2)の形状に対応させて幅狭に形成している。このようにアーム被覆部(6)をアーム部(2)の形状に対応させて形成することにより、アーム被覆部(6)がアーム部(2)から床面に垂れ下がって不潔になることを防止することができる。
【００１９】
また、上記アーム被覆部(6)の背面側には、図１、３に示す如く一端から他端にかけてアーム部(2)に沿って細長の開口部(7)を形成し、この開口部(7)からＣアーム本体(3)を挿入配置可能としている。また、照射被覆部(4)及び検出被覆部(5)の左右両側には、それぞれアーム被覆部(6)の開口部(7)側に紐体(8)の両端部(12)を縫い付けている。この紐体(8)は、ドレープ本体(1)に縫い付けた紐通し(10)に挿通しており、図４に示す如く紐体(8)を引っ張ってドレープ本体(1)のギャザー(13)を寄せた状態でこの紐体(8)を結ぶ。
【００２０】
これにより、ドレープ本体(1)をＣアーム本体(3)に固定することができるとともに、ドレープ本体(1)をＣアーム本体(3)に沿って配置することができるため、ドレープ本体(1)が床面に垂れ下がって不潔になることを防ぐことができる。
【実施例２】
【００２１】
また上記実施例１では照射被覆部(4)及び検出被覆部(5)に、それぞれアーム被覆部(6)の開口部(7)側に紐体(8)を縫い付けているが、本実施例２では上記照射被覆部(4)及び検出被覆部(5)の他に、図５に示す如く開口部(7)の外周にも紐体(8)を設けている。本実施例について説明すると、図６に示す如く、開口部(7)の裏面(11)側の外周に沿って、紐通し(10)を複数箇所設けるとともに、この紐通し(10)に一対の紐体(8)を開口部(7)に沿って挿通配置している。そして、各紐の両端を開口部(7)の両端部(12)側にてそれぞれ縫い付けている。
【００２２】
そして、図７に示す如く上記開口部(7)に設けた紐体(8)を、開口部(7)の中央部側から外方に引っ張ることにより、図８に示す如く開口部(7)の外周にギャザー(13)が寄せられるため、これにより開口部(7)がＣアームの上面に沿って配置され、アーム被覆部(6)がアーム部(2)に沿った形状で配置されるものとなる。従って、ドレープ本体(1)が床面に垂れ下がって不潔になることを更に防ぐことができる。
【００２３】
尚、本実施例では上記の如く、照射被覆部(4)及び検出被覆部(5)の他に開口部(7)の外周にも紐体(8)を設けているが、他の異なる実施例ではこれに限らず、照射被覆部(4)及び検出被覆部(5)に紐体(8)を設けることなく、開口部(7)の外周にのみ紐体(8)を設けることも可能である。また、実施例１、２では紐体(8)を使用しているが、他の異なる実施例ではこれに限らず、紐状の弾性体を用いることも可能である。
【符号の説明】
【００２４】
１  ドレープ本体
２  アーム部
６  アーム被覆部
７  開口部
８  紐体
１０  紐通し
１３  ギャザー
【図１】
0003191672.tif 000003
【図２】
0003191672.tif 000004
【図３】
0003191672.tif 000005
【図４】
0003191672.tif 000006
【図５】
0003191672.tif 000007
【図６】
0003191672.tif 000008
【図７】
0003191672.tif 000009
【図８】
0003191672.tif 000010